【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
オブジェクト配置空間内に分布するオブジェクトの管理を可能にするための装置であって、
少なくとも４つの導電性部材を有し、該導電性部材の少なくとも１つが供給源により与えられるアドレス信号を受信するように設けられているオブジェクト用容器と、前記容器は支持ブレースのペアを有し且つ該支持ブレースのうちの１つが前記少なくとも４つの導電性部材を含むファイル・フォルダを備え、前記支持ブレースのうちの１つが、対向する端部のペアを有する非導電性材料から形成された細長い本体構造部を備え、前記各端部は、前記細長い本体構造部に固定されたばね接点のペアを備えた下向きに開口するカットアウト・チャネルを有し、前記各ばね接点は、前記少なくとも４つの導電性部材のうちの異なるものに電気的に結合され、各ばね接点が関連付けられた、反対側にそれぞれ２つの電導性部分を有する非導電性支持レールに、電気的および機械的な両方の接続を提供するため、前記ファイル・フォルダが前記支持レール上に設置されている場合、前記各ばね接点が、その端部に隣接して前記細長い本体構造部に形成された対応するスロット内に受けられる自由端を有し、
前記オブジェクトに関連付けられたアドレス・デコーダ回路と、固有のシステム・アドレスを有した前記アドレス・デコーダ回路と、前記支持ブレースのうちの１つに支持される前記アドレス・デコーダ回路と、前記すくなくとも４つの導電性部材と電気的に接触する少なくとも４つの導電性端子とを更に有する前記アドレス・デコーダ回路と、および
前記アドレス・デコーダ回路に結合され、前記複数の導電性部材の少なくとも１つに存在し且つ前記固有のシステム・アドレスを表わすアドレス信号を前記アドレス・デコーダ回路が検出するたびに作動するインジケータと、
を含む、ことを特徴とする装置。
【請求項２】
前記インジケータが可視インジケータであることを特徴とする、請求項１に記載の装置。
【請求項３】
前記可視インジケータがＬＥＤであることを特徴とする、請求項２に記載の装置。
【請求項４】
前記アドレス信号を生成するためのエンコーダを備えた供給源を更に含み、前記エンコーダが、供給装置からオブジェクト識別信号を受信するための少なくとも１つの入力端子と、前記アドレス・デコーダ回路に結合された少なくとも１つの出力端子と、前記オブジェクト識別信号により指定された前記オブジェクトの固有のシステム・アドレスを表わす信号を生成するための回路とを有することを特徴とする、請求項１に記載の装置。
【請求項５】
所与のファイル・フォルダは取り外しできるよう前記支持部材に、各ばね接点が機械的および電気的に適切な前記導電性部分に接触した状態で１つの適切な向きのみに固定されるようにするため、各非導電性部材の幅は互いに異なり、および前記細長い本体構造部の対向する端部の一方における前記カットアウト・チャネルの幅が、前記細長い本体構造部の対向する端部の他方における前記カットアウト・チャネルの幅とは異なることを特徴とする、請求項１に記載の装置。
【請求項６】
前記各ばね接点が、その端部に隣接して前記細長い本体構造部に形成された対応するスロット内に受けられる自由端を有することを特徴とする、請求項１に記載の装置。
【請求項７】
前記ファイル・フォルダが上縁を有し、前記インジケータは、前記上縁の上に延びる位置において前記ファイル・フォルダに取り付けられることを特徴とする、請求項１に記載の装置。
【請求項８】
オブジェクト配置空間内に分布するオブジェクトを管理するためのシステムであって、
少なくとも２つの非導電性の支持部材および少なくとも４つの相互に電気的に絶縁された導電性経路を前記支持部材上に有する、ファイル・フォルダ引き出しを含むコンテナと、
前記コンテナ内に配置された複数のオブジェクト用容器であって、各前記複数のオブジェクト用容器のそれぞれは１対の支持ブレース、上縁を有するファイル・フォルダを備え、および
（ａ）少なくとも４つの相互に電気的に絶縁された導電性経路の異なるものに電気的に結合され、前記導電性経路の少なくとも１つが供給源により与えられるアドレス信号を受信するように設けられている、前記支持ブレースの１つに支持される少なくとも４つの導電性部材と、
（ｂ）固有のシステム・アドレスと、前記少なくとも４つの導電性部材に電気的に接触する少なくとも４つの導電性端子とを有する、前記オブジェクトに関連付けられ、且つ前記支持ブレースの１つに支持されるアドレス・デコーダ回路と、
（ｃ）前記支持ブレースの１つに支持され、且つ前記少なくとも４つの導電性部材のうちの前記少なくとも１つに存在し且つ前記固有のシステム・アドレスを表わすアドレス信号を前記アドレス・デコーダ回路が検出するたびに作動するように、前記アドレス・デコーダ回路に結合されたインジケータと、前記インジケータの各々は、前記ファイル・フォルダ引き出しが開かれた位置にあるときに所与のインジケータが見えるように前記上縁の上に延びる位置において対応する前記ファイル・フォルダに取り付けられ、前記複数のオブジェクト用容器の各々の前記支持ブレースの１つが、対向する端部のペアを有する非導電性材料から形成された細長い本体構造部を含み、前記各端部が、前記細長い本体構造部に固定されたばね接点のペアを備えた下向きに開口するカットアウト・チャネルを有し、前記各ばね接点が、前記複数の導電性部材の異なるものに電気的に結合され、前記複数のオブジェクト用容器の支持ブレースの各端部が、前記ファイル・フォルダ引き出し内に受けられたときに前記少なくとも２つの非導電性支持部材の異なるものにより支持され、前記２つの非導電性支持部材はそれぞれが持つ幅で横方向に隔たれ、非導電性部材の前記幅はそれぞれが異なり、前記カットアウト・チャネルの幅が、前記ファイル・フォルダの各々の細長い本体構造部の対向する端部の他方における前記カットアウト・チャネルの幅とは異なり、所与のファイル・フォルダは、前記ばね接点の各々が前記導電性経路の適切なものと機械的及び電気的に接触した状態で１つの向きにのみ前記２つの支持部材に取り外し可能に固定できるようになること
を含む、ことを特徴とするシステム。
【請求項９】
前記インジケータが可視インジケータであることを特徴とする、請求項８に記載のシステム。
【請求項１０】
前記可視インジケータがＬＥＤであることを特徴とする、請求項９に記載のシステム。
【請求項１１】
前記アドレス信号を生成するためのエンコーダを備えた供給源を更に含み、前記エンコーダが、前記複数の相互に電気的に絶縁された導電性経路の少なくとも１つを介して供給装置からオブジェクト識別信号を受信するための少なくとも１つの入力端子と、前記複数のオブジェクト用容器の各アドレス・デコーダ回路に結合された少なくとも１つの出力端子と、前記オブジェクト識別信号により指定された前記オブジェクトの固有のシステム・アドレスを表わす信号を生成するための回路と、を有することを特徴とする、請求項８に記載のシステム。
【請求項１２】
前記ファイル・フォルダ引き出しが、付加的なインジケータが取り付けられた前面パネルを有し、前記システムが更に、前記複数の導電性部材の前記少なくとも１つに存在し且つそのアドレス・デコーダの固有のシステム・アドレスを表わすアドレス信号を前記ファイル・フォルダ引き出し内に配置されたアドレス・デコーダ回路が検出するたびに前記付加的なインジケータを動作させるための回路を含むことを特徴とする、請求項１０に記載のシステム。
【請求項１３】
前記各アドレス・デコーダ回路が、前記複数の導電性部材の前記少なくとも１つに存在し且つ前記固有のシステム・アドレスを表わすアドレス信号を前記アドレス・デコーダ回路が検出するたびに有効信号を生成する回路と、前記導電性経路の一部を介して前記複数のオブジェクト用容器に電力信号を供給し、前記導電性経路の少なくとも１つを介して前記アドレス信号を供給し、前記各アドレス・デコーダ回路から前記有効信号を受信するマイクロコンピュータと、を含むことを特徴とする、請求項８に記載のシステム。
【請求項１４】
前記マイクロコンピュータが、有効信号を生成するあらゆるアドレス・デコーダ回路の前記システムにおける位置を識別する情報信号を生成する回路を含むことを特徴とする、請求項１３に記載のシステム。